(57)【要約】【課題】球の振り分け方を複雑にして遊技性の向上を図る。【解決手段】電磁ブレーキ５４による制動作用とステップモータ５５による回転動力との協働により内側回転体２と外側回転体３とが同期回転したり回転運動がずれたりすることで、内側回転体２の外周壁２１に形成された球取入口２２と外側回転体３の外周壁３１に形成された球取入口３２とが互いに合って開放される姿勢と互いに位置ずれして閉鎖される姿勢との種々の組み合わせを作り、遊技部品１に取り込まれた球を内側回転体２と外側回転体３との中央における円形凹部３６に落下させたり、内側回転体２と外側回転体３との外周壁３１から遊技領域に放出させたりするという、変化に富む球の動きを作る。【選択図】        図１
2004208776.tif 000002
【特許請求の範囲】
【請求項１】
縁付皿状に形成された内側回転体の外周壁には球取入口と球取入口の回転方向一側部から内側に突出する縦隔壁とが設けられ、縁付皿状に形成された外側回転体の外周壁には球取入口が設けられるとともに外側回転体の隔壁よりも内側には球排出口の形成された環状隔壁が設けられ、内側回転体の開口と外側回転体との開口とが互いに向かい合わせられて内側回転の外周壁が内側に配置されるとともに外側回転の外周壁が外側に配置される格好で内側回転体と外側回転体とが互いに同軸状に回転可能に組み合わせられて部品本体に遊技盤の意匠盤面に沿う方向で回転する姿勢に取り付けられる一方、内側回転体の球取入口と外側回転体の球取入口とを互いに合わせて開放するとともに互いに位置ずれさせて閉鎖する姿勢に内側回転体の回転運動と外側回転体の回転運動とを調整する回転駆動調整機構が部品本体に設けられたことを特徴とする遊技部品。
【請求項２】
内側回転体の球取入口と外側回転体の球取入口と外側回転体の球排出口とが複数設けられたことを特徴とする請求項１記載の遊技部品。
【請求項３】
回転駆動調整機構がステップモータと電磁ブレーキとを備えたことを特徴とする請求項１記載の遊技部品。
【請求項４】
外側回転体の環状隔壁よりも内側には円形凹部が同軸状に形成され、円形凹部には内側回転体と外側回転体との回転中心の内部を経由して部品本体に固定された入賞部品が格納されたことを特徴とする請求項１記載の遊技部品。
【発明の詳細な説明】
【０００１】
【発明の属する技術分野】
本発明は２つの回転体に形成された球取入口が各回転体の回転運動の周方向へのずれで開放されたり閉鎖されたりする遊技部品に関する。
【０００２】
【従来の技術】
従来の遊技部品は遊技盤の前面である意匠盤面と交差する方向で回転する１つ振分体に前方に球を排出する第１凹部と後方に球を排出する第２凹部とを備え、真上から落下する球を振分体の第１凹部で受け取るかまたは第２凹部で受け取ることで、球を前後に振り分けている（例えば、特許文献１参照）。
【０００３】
【特許文献１】
実用新案登録第３０２５４５４号公報（第１頁、要約、図１）
【０００４】
【発明が解決しようとする課題】
しかしながら、従来例は回転する１つの振分体に設けられた２つの凹部のどちらで球を受け取るか球を前後に振り分ける構造であるため、球の振り分け方が単純で遊技性に欠けるという問題点があった。
【０００５】
そこで、本発明は、遊技盤の意匠盤面に沿う方向に回転する２つの回転体に形成された球取入口が各回転体の回転運動の周方向へのずれで開放されたり閉鎖されたりすることで、球の振り分け方が複雑で遊技性を向上することができる遊技部品を提供するものである。
【０００６】
【課題を解決するための手段】
本発明にあっては、縁付皿状に形成された内側回転体の外周壁には球取入口と球取入口の回転方向一側部から内側に突出する縦隔壁とが設けられ、縁付皿状に形成された外側回転体の外周壁には球取入口が設けられるとともに外側回転体の隔壁よりも内側には球排出口の形成された環状隔壁が設けられ、内側回転体の開口と外側回転体との開口とが互いに向かい合わせられて内側回転の外周壁が内側に配置されるとともに外側回転の外周壁が外側に配置される格好で内側回転体と外側回転体とが互いに同軸状に回転可能に組み合わせられて部品本体に遊技盤の意匠盤面に沿う方向で回転する姿勢に取り付けられる一方、内側回転体の球取入口と外側回転体の球取入口とを互いに合わせて開放するとともに互いに位置ずれさせて閉鎖する姿勢に内側回転体の回転運動と外側回転体の回転運動とを調整する回転駆動調整機構が部品本体に設けられたことによって、内側回転体の球取入口と外側回転体の球取入口とが互いに合わされて開放された姿勢と、内側回転体の球取入口と外側回転体の球取入口とが互いに位置ずれされて閉鎖された姿勢との種々の組み合わせで、遊技部品に取り込まれた球を内側回転体と外側回転体との中央における円形凹部に落下させたり、内側回転体と外側回転体との外周壁から遊技領域に放出させたりするという、変化に富む球の動きを作ることができ、遊技性を向上することができる。また、本発明にあっては、内側回転体の球取入口と外側回転体の球取入口と外側回転体の球排出口とが複数設けられれば、変化に富む球の動きを一層高めることができる。また、本発明にあっては、回転駆動調整機構がステップモータと電磁ブレーキとを備えれば、回転駆動調整機構が簡単な構造となる。また、本発明にあっては、外側回転体の環状隔壁よりも内側には円形凹部が同軸状に形成され、円形凹部には内側回転体と外側回転体との回転中心の内部を経由して部品本体に固定された入賞部品が格納されれば、当該円形凹部に固定的に配置された入賞部品の入賞口部への入賞の可能性を作ることができる。
【０００７】
【発明の実施の形態】
図１−図７は一実施形態であって、図１は遊技部品１の縦方向に切断した断面を示し、図２は遊技部品１の内側回転体２と外側回転体３と入賞部品４と部品本体５とを分解した前側からの外観を示し、図３は内側回転体２と外側回転体３と入賞部品４とを組み合わせた後側の外観を示し、図４−図６は遊技部品１の動作を示し、図７は遊技部品１を備えたパチンコ機の正面を示す。図１に示すように、遊技部品１は内側回転体２と外側回転体３とが部品本体５に互いに同軸状に回転可能に組み合わされており、部品本体５が遊技盤７１に取り付けられることで、内側回転体２と外側回転体３とが遊技盤７１の意匠盤面７９に沿う方向（例えば並行な方向）で回転する姿勢に取り付けられる。
【０００８】
図２を参照し、遊技部品１の構成部品について説明する。内側回転体２は縁付皿状に形成された形状であって、内側回転体２の外周壁２１には球取入口２２と球取入口２２の回転方向一側部から内側で回転中心に向けて突出する縦隔壁２３とが対で周方向に等間隔に設けられる。内側回転体２の後壁には外周壁２１と縦隔壁２３とに連接された環状縦壁部２５と、環状縦壁部２５から後側に膨出する前方開放後方閉鎖状の円形凹部２６とを備える。円形凹部２６における後壁２７の外周部には入賞球排出口２８を備える。内側回転体２の外周壁２１と環状縦壁部２５および円形凹部２６それぞれの中心は内側回転体２の中心と同一である。円形凹部２６には内側回転体２の回転中心を形成する筒軸２９が後側に突出する。
【０００９】
外側回転体３は縁付皿状に形成された形状であって、外側回転体３の外周壁３１には球取入口３２が周方向に等間隔に設けられ、外側回転体３の隔壁３３よりも内側には環状隔壁３４が設けられ、環状隔壁３４には球排出口３５が周方向に等間隔に形成される。内側回転体２の中央には環状隔壁３４で囲まれる前方開放後方閉鎖状の円形凹部３６が形成される。円形凹部３６における後壁３７の外周部には入賞球排出口３８を備える。外側回転体３の外周壁３１と環状隔壁３４とそれぞれの中心は外側回転体３の中心と同一である。円形凹部３６には外側回転体３の回転中心を形成する筒軸３９が後側に突出する。
【００１０】
内側回転体２の外周壁２１における外側の直径は外側回転体３の外周壁３１における内側の直径よりも小さい。内側回転体２の円形凹部２６における内側の直径は外側回転体３の円形凹部３６における外側の直径よりも大きい。内側回転体２の円形凹部２６における深さは外側回転体３の円形凹部３６における深さよりも浅い。内側回転体２の筒軸２９の内径が外側回転体３の筒軸３９の外径よりも大きいが、内側回転体２の筒軸２９の内径と外側回転体３の筒軸３９の外径との寸法差は、内側回転体２の筒軸２９と外側回転体３の筒軸３９とが互いに嵌め合わせられることで、内側回転体２と外側回転体３とが互いに傾くことなく回転可能となる寸法差である。
【００１１】
入賞部品４は２つの回転体２；３に対する固定体であって、外側回転体３の円形凹部３６に格納される円板状の前壁４２と、前壁４２の外周縁から後側に突出する外周壁４１と、前壁４２の下部で前側に突出するポケット形の入賞口部４３と、入賞口部４３よりも上方で前壁４２から前側に突出する複数本の障害突起４４と、前壁４２の回転中心から後側に突出する軸４５とを備える。軸４５は外側回転体３の筒軸３９の内部に嵌め込まれることで外側回転体３をがたつくことなく回転可能に支持するものである。軸４５における外側回転体３の筒軸３９より後側に突出した端部が部品本体５に固定されることで、入賞部品４が部品本体５に固定される。
【００１２】
内側回転体２の開口（外周壁２１の開口端で囲まれた開口）と外側回転体３との開口（外周壁３１の開口端で囲まれた開口）とが互いに向かい合わせられ、内側回転体２の外周壁２１が内側に配置されるとともに外側回転体３の外周壁３１が外側に配置される格好で、内側回転体２の筒軸２９と外側回転体３の筒軸３９とが互いに嵌め合わされると、内側回転体２と外側回転体３とが互いに同軸状に回転可能に組み合わせられる。
【００１３】
部品本体５は前方開放後方閉鎖状の円形凹部５６の外周縁から外側に突出するフランジ５１を備える。円形凹部５６の後壁５２には中心に貫通孔５３と周囲に入賞球排出口５８および回転駆動調整機構６０を備える。回転駆動調整機構６０は円形凹部５６の後面に取り付けられた図１のステップモータ５５と円形凹部５６の前面に取り付けられた電磁ブレーキ５４とを備える。ステップモータ５５の出力軸であるモータ軸５７は円形凹部５６の後壁５２に形成された逃孔を経由して前側に突出し、その突出した端部に駆動歯車６１を固定的に備える。フランジ５１は外側回転体３の外周壁３１よりも外側に突出する大きな外径を有し、フランジ５１は外側回転体３の外周壁３１よりも外側に突出する部分に取付孔５９を備える。
【００１４】
図３を参照し、内側回転体２と外側回転体３と入賞部品４とが互いに組み合わされた形態の後側からの構造について説明する。内側回転体２の筒軸２９と外側回転体３の筒軸３９とが互いに嵌め合わされることで、内側回転体２の筒軸２９が外側回転体３の筒軸３９よりも突出し、入賞部品４の軸と外側回転体３の筒軸３９とが互いに嵌め合わされることで、内側回転体２の外周壁２１と外側回転体３の外周壁３１とが互いに径方向で重ね合わされる一方、入賞部品４の軸４５が内側回転体２の筒軸２９よりも突出する。そして、外側回転体３の筒軸３９よりも突出した内側回転体２の筒軸２９と外側回転体３の筒軸３９とには従動歯車６２が外嵌装着され、従動歯車６２と内側回転体２の筒軸２９とが互いに固定される一方、従動歯車６２と外側回転体３の筒軸３９とが摩擦による滑りを発生する形態に回転可能に接触する。
【００１５】
図１を参照し、遊技部品１の内部構造について説明する。ステップモータ５５と電磁ブレーキ５４および駆動歯車６１の装着された部品本体５の円形凹部５６には前側から従動歯車６２と内側回転体２と外側回転体３と入賞部品４とが互いに組み合わされた形態の構造体が収納され、従動歯車６２と駆動歯車６１とが互いに噛み合わされる一方、入賞部品４の従動歯車６２よりも後側に突出した軸４５が部品本体５の貫通孔５３に挿入され、軸４５の部品本体５より後側に突出した端部が部品本体５のボスに止ねじ６３で固定されることで、電磁ブレーキ５４の制動作用部６４が内側回転体２の円形凹部２６（図２参照）における後壁２７の後面と制動動作可能に対向配置される。
【００１６】
このよう組み立てられた遊技部品１における部品本体５の円形凹部５６が遊技盤７１に形成された開口部７２に前側から挿入され、部品本体５のフランジ５１が遊技盤７１の開口部７２周りの意匠盤面７９に接触し、止ねじ７３が取付孔５９（図２参照）から遊技盤７１に締結されることで、遊技部品１が遊技盤７１に取り付けられる。遊技部品１が遊技盤７１に取り付けられた場合、部品本体５のフランジ５１と内側回転体２の外周壁２１と外側回転体３の外周壁３１とが遊技盤７１の意匠盤面７９よりも前側に突出し、入賞部品４が外側回転体３の円形凹部３６に格納された格好である。そして、遊技盤７１の装着されるの遊技機枠７４（図４参照）における透過性パネル７５が遊技部品１の前側に遊技部品１と非接触に配置され、透過性パネル７５と遊技盤７１の意匠盤面７９と間が球の飛び交う空間となり、透過性パネル７５と遊技部品１の前面と間は球が進入できない隙間になっている。
【００１７】
一方、電磁ブレーキ５４の制動作用部６４が内側回転体２から離れていて、電磁ブレーキ５４による制動作用が内側回転体２に加わらない場合、内側回転体２と外側回転体３とがステップモータ５５から駆動歯車６１と従動歯車６２とを経由して伝達される回転動力で同期回転運動する。その状態において、電磁ブレーキ５４が電力供給で制動動作すると、電磁ブレーキ５４の制動作用部６４が内側回転体２に接触して内側回転体２の回転が制動される。この電磁ブレーキ５４による制動作用は内側回転体２の回転を停止してもよいが内側回転体２の回転を停止しない程度でもよい。電磁ブレーキ５４による制動作用に伴い、ステップモータ５５の回転動力で回転する内側回転体２と電磁ブレーキ５４で制動を受けた外側回転体３とにおける双方に回転運動がずれる。つまり、ステップモータ５５の回転させたまま、電磁ブレーキ５４による制動作用を調整すると、内側回転体２と外側回転体３との同期回転運動と、内側回転体２と外側回転体３との回転運動のずれを発生することによって、内側回転体２の球取入口２２と外側回転体３の球取入口３２とを互いに合わせて開放する姿勢と互いに位置ずれさせて閉鎖する姿勢とに切り替えられる。
【００１８】
図４−図５を参照し、遊技部品１の動作について説明する。図４−図５において、三角形は内側回転体２に対する目印８１を模式的に示し、四角形は外側回転体３に対する目印８２を模式的に示す。図４は内側回転体２の球取入口２２と外側回転体３の球取入口３２から取り込まれた球Ｐが中央における円形凹部に落下する過程である。図４のａ図は内側回転体２の球取入口２２と外側回転体３の球取入口３２とが互いに位置ずれされて閉鎖された姿勢で、内側回転体２と外側回転体３とが電磁ブレーキ５４による制動作用を受けることなくステップモータ５５の回転動力で同期回転運動している状態である。そして、電磁ブレーキ５４による制動作用が内側回転体２に与えられると、内側回転体２と外側回転体３との回転運動のずれが発生し、図４のｂ図に示すように、内側回転体２の球取入口２２と外側回転体３の球取入口３２とが互いに合わされて開放された姿勢となる。その状態において、上方に位置する開放された球取入口２２；３２から取り込まれた球Ｐは縦隔壁２３から球排出口３５を経由して外側回転体３の中央における円形凹部３６に落下する。
【００１９】
前記円形凹部に落下した球Ｐは図１に示すように当該円形凹部３６に固定的に配置された入賞部品４の入賞口部４３への入賞の可能性がある。そして、入賞口部４３に入賞した球Ｐは外側回転体３の入賞球排出口３８、内側回転体２の入賞球排出口２８、部品本体５の入賞球排出口５８を経由して遊技部品１の裏側に排出される。
【００２０】
図５は内側回転体２の球取入口２２と外側回転体３の球取入口３２から取り込まれた球Ｐが上方に運ばれた後に中央における円形凹部に落下する過程である。図５のａ図は内側回転体２の球取入口２２と外側回転体３の球取入口３２とが互いに位置ずれされて閉鎖された姿勢で、内側回転体２と外側回転体３とが電磁ブレーキ５４による制動作用を受けることなくステップモータ５５の回転動力で同期回転運動している状態である。そして、電磁ブレーキ５４による制動作用が内側回転体２に与えられると、内側回転体２と外側回転体３との回転運動のずれが発生し、図５のｂ図に示すように、内側回転体２の球取入口２２と外側回転体３の球取入口３２とが互いに合わされて開放された姿勢となる。その状態において、側方に位置する開放された球取入口２２；３２から取り込まれた球Ｐは図５のｂ図に矢印で示すように下方における内側回転体２の外周壁２１と縦隔壁２３とで囲まれる部分に向けて落下する。これと並行し、電磁ブレーキ５４による制動作用が解除され、内側回転体２と外側回転体３とが同期回転運動する。
【００２１】
そして、図５のｃ図に示すように、内側回転体２の外周壁２１と縦隔壁２３とで囲まれる隅部に保留される。その後、電磁ブレーキ５４による制動作用が働き、球取入口２２と球取入口３２とが互いに位置ずれされて閉鎖された姿勢となると、電磁ブレーキ５４による制動作用が再び解除される。そして図５のｄ図に示すように、球取入口２２と球取入口３２とが互いに位置ずれされて閉鎖されたまま、内側回転体２と外側回転体３とが同期回転運動するのに伴い、球Ｐが内側回転体２の外周壁２１と縦隔壁２３とで囲まれる隅部から離れて内側回転体２の外周壁２１に沿って閉鎖された球取入口２２（球取入口２２は外周壁３１で閉鎖されている）に落下する。
【００２２】
引き続き、図５のｄ図に示すように、閉鎖された球取入口２２に落下した球Ｐは当該部分に保留されたまま内側回転体２と外側回転体３とが同期回転運動するのに伴い上方に運ばれる。引き続き、図５のｅ図に示すように、内側回転体２と外側回転体３とが同期回転運動するの伴い、球Ｐを保留した部分の閉鎖された球取入口２２と球取入口３２とが上方に到達すると、当該球Ｐは矢印で示すように縦隔壁２３から球排出口３５を経由して外側回転体３の中央における円形凹部３６に落下する。
【００２３】
図６は内側回転体２の球取入口２２と外側回転体３の球取入口３２から取り込まれた球Ｐが外部に落下する過程である。図６のａ図は内側回転体２の球取入口２２と外側回転体３の球取入口３２とが互いに位置ずれされて閉鎖された姿勢で、内側回転体２と外側回転体３とが電磁ブレーキ５４による制動作用を受けることなくステップモータ５５の回転動力で同期回転運動している状態である。そして、電磁ブレーキ５４による制動作用が内側回転体２に与えられると、内側回転体２と外側回転体３との回転運動のずれが発生し、図６のｂ図に示すように、内側回転体２の球取入口２２と外側回転体３の球取入口３２とが互いに合わされて開放された姿勢となる。
【００２４】
その状態において、側方に位置する開放された球取入口２２；３２から取り込まれた球Ｐは図６のｂ図に矢印で示すように下方における内側回転体２の外周壁２１と縦隔壁２３とで囲まれる部分に向けて落下する。これと並行し、電磁ブレーキ５４による制動作用が解除され、内側回転体２と外側回転体３とが同期回転運動する。そして、図６のｃ図に示すよう、内側回転体２の外周壁２１と縦隔壁２３とで囲まれる隅部に保留される。そのまま、図６のｄ図に示すように、球取入口２２と球取入口３２とが互いに合わされて開放されたまま、内側回転体２と外側回転体３とが同期回転運動するのに伴い、球Ｐが内側回転体２の外周壁２１と縦隔壁２３とで囲まれる隅部から離れて内側回転体２の外周壁２１に沿って開放された球取入口２２と球取入口３２とから外部に落下する。
【００２５】
図７を参照し、遊技部品１を用いたパチンコ機について説明する。パチンコ機は前面にガラスのような透過性パネル７５、受皿７６、球発射操作機構７７を備え、内部に球発射機構や遊技盤７１を備え、裏側に制御装置を備える。遊技盤７１はガイドレールで囲まれた内側の遊技領域に遊技部品１、複数の始動入賞部品７８を備える。そして、制御装置が電力供給で起動すると、制御装置からの指示で遊技部品１は開口が閉鎖された状態で矢印方向に回転する。その状態において、球Ｐが受皿７６に入れられ、遊技者が球発射操作機構７７を操作すると、その操作量に応じて制御装置が球発射機構を駆動する。その駆動により球発射機構が受皿７６から供給された球Ｐを１個ずつ遊技盤７１の遊技領域に向けて発射する。その球Ｐが始動入賞部品７８のいずれかに入賞し、始動入賞部品７８に入賞した球Ｐを検出し始動入賞球検出器が始動入賞信号を制御装置に出力すると、制御装置が電磁ブレーキ５４を制御し、内側回転体２の球取入口２２と外側回転体３の球取入口３２とが互いに合わされて開放された姿勢となる。
【００２６】
内側回転体２の球取入口２２と外側回転体３の球取入口３２とが互いに合わされて開放された姿勢となる回数は、両側の始動入賞部品７８への球Ｐの入賞ごとに１回とし、中央の始動入賞部品７８への球Ｐの入賞ごとに２回となっている。そして、図４−図６で説明した、内側回転体２の球取入口２２と外側回転体３の球取入口３２とが互いに合わされて開放された姿勢と、内側回転体２の球取入口２２と外側回転体３の球取入口３２とが互いに位置ずれされて閉鎖された姿勢との種々の組み合わせで、遊技部品１に取り込まれた球Ｐを内側回転体２と外側回転体３との中央における円形凹部３６に落下させ、当該円形凹部３６に固定的に配置された入賞部品４の入賞口部４３への入賞の可能性を作ったり、内側回転体２と外側回転体３との外周壁２１；３１から遊技領域に放出させたりするという、変化に富む球Ｐの動きを作ることができる。
【図面の簡単な説明】
【図１】一実施形態の遊技部品を示す縦断面図。
【図２】同実施形態の遊技部品を示す前側からの分解斜視図。
【図３】同実施形態の内側回転体と外側回転体と入賞部品と組み合わせた後側からの外観を示す斜視図。
【図４】同実施形態の遊技部品の動作を示す模式図。
【図５】同実施形態の遊技部品の動作を示す模式図。
【図６】同実施形態の遊技部品の動作を示す模式図。
【図７】同実施形態の遊技部品を備えたパチンコ機を示す正面図。
【符号の説明】
１  遊技部品、２  内側回転体、３  外側回転体、４  入賞部品、
５  部品本体、２１  外周壁、２２  球取入口、２３  縦隔壁、３１  外周壁、
３２  球取入口、３３  隔壁、３４  環状隔壁、３５  球排出口、
３６  円形凹部、４３  入賞口部、５４  電磁ブレーキ、
５５  ステップモータ、６０  回転駆動調整機構、７１  遊技盤、
７９  意匠盤面。
【図１】
2004208776.tif 000003
【図２】
2004208776.tif 000004
【図３】
2004208776.tif 000005
【図４】
2004208776.tif 000006
【図５】
2004208776.tif 000007
【図６】
2004208776.tif 000008
【図７】
2004208776.tif 000009